(57)【要約】【課題】被検物質の体内残留性を検出する方法、核酸、蛋白質、細胞およびプローブ固定化チップを提供する。【解決手段】（１）被検物質と小腸の残留性有機汚染物質結合性膜蛋白質との結合性の存在を検出することと、（２）その検出の結果から前記被検物質の体内残留性の有無および／または程度を判定し、それによって被検物質の体内残留性を検出すること、を具備する被検物質の体内残留性を検出する方法。【選択図】    図２
2004201526.tif 000002
【特許請求の範囲】
【請求項１】
（１）被検物質と小腸の残留性有機汚染物質結合性膜蛋白質との結合性の存在を検出することと、
（２）その検出の結果から前記被検物質の体内残留性の有無および／または程度を判定し、それによって被検物質の体内残留性を検出すること、
を具備する被検物質の体内残留性を検出する方法。
【請求項２】
前記膜蛋白質が以下の（i）から（v）までにより決定される塩基配列によってコードされることを特徴とする請求項１に記載の方法；
（i）適切なハイブリダイゼーションが得られる条件下で、配列番号２、配列番号３、配列番号４、配列番号５、配列番号６、配列番号７、配列番号８、配列番号９、配列番号１０および配列番号１１からなる群より選択される少なくとも１の塩基配列を含む少なくとも１種類の核酸に対して、小腸ｍＲＮＡ由来の一本鎖ｃＤＮＡを反応させることと、
（ii）前記（i）において前記何れかの核酸に対してハイブリダイズした一本鎖ｃＤＮＡを回収し、大腸菌に導入することと、
（iii）前記（ii）で導入されたｃＤＮＡが前記大腸菌で発現された状態で、残留性有機汚染物質を反応させることと、
（iv）前記（iii）の反応の後に、前記大腸菌への前記残留性有機汚染物質の結合の存在を検出することと、
（v）前記（iv）の存在が検出された大腸菌に導入された小腸ｍＲＮＡ由来のｃＤＮＡの塩基配列を決定すること。
【請求項３】
前記膜蛋白質が、配列番号１で表される核酸によりコードされる蛋白質であることを特徴とする請求項１または２の何れか１項に記載の被検物質の体内残留性を検出する方法。
【請求項４】
前記（１）の検出よりも前に、前記被検物質が第１の蛍光標識物質で標識され、且つ前記小腸の残留性有機汚染物質結合性膜蛋白質が第２の蛍光標識物質で標識され、当該（１）の検出することが、前記被検物質と前記小腸の残留性有機汚染物質結合性膜蛋白質とを接触させた後で、第１の蛍光標識物質または第２の蛍光標識物質のうち、エネルギートランスファーのためのドナーである何れか一方の励起波長で励起し、アクセプターである他方の蛍光波長を測定することによって行われ、更に、前記（１）の検出でエネルギートランスファーが検出された場合に、前記（２）において前記被検物質は体内残留性を有すると判定されることを特徴とする請求項１から３の何れか１項に記載の被検物質の体内残留性を検出する方法。
【請求項５】
被検物質の体内残留性物質を検出するための蛋白質をコードし、以下により決定される塩基配列を有する核酸；
（i）適切なハイブリダイゼーションが得られる条件下で、配列番号２、配列番号３、配列番号４、配列番号５、配列番号６、配列番号７、配列番号８、配列番号９、配列番号１０および配列番号１１からなる群より選択される少なくとも１の塩基配列を含む少なくとも１種類の核酸に対して、小腸ｍＲＮＡ由来の一本鎖ｃＤＮＡを反応させること、
（ii）前記（i）において何れかの核酸にハイブリダイズした一本鎖ｃＤＮＡを回収し、大腸菌に導入することと、
（iii）前記（ii）で導入されたｃＤＮＡが前記大腸菌で発現された状態で残留性有機汚染物質を反応させることと、
（iv）前記（iii）の反応の後に、前記大腸菌への前記残留性有機汚染物質の結合の存在を検出することと、
（v）前記（iv）の存在が検出された大腸菌に導入された小腸ｍＲＮＡ由来のｃＤＮＡの塩基配列を決定すること。
【請求項６】
請求項５に記載の核酸によりコードされる蛋白質。
【請求項７】
配列番号１で表される核酸を遺伝子として機能可能に導入された被検物質の体内残留性物質を検出するための細胞。
【請求項８】
基体と、前記基体の表面に固定され、請求項７に記載の細胞をプローブとして具備する被検物質の体内残留性物質を検出するためのプローブ固定化チップ。
【発明の詳細な説明】
【０００１】
【発明の属する技術分野】
本発明は、被検物質の体内残留性を検出する方法、核酸、蛋白質、細胞およびプローブ固定化チップに関する。
【０００２】
【従来の技術】
残留性有機汚染物質（persistent organic pollutants；以下、POPsと略す）は、生物蓄積性を有し、且つ微量でも高い毒性を示す新しいカテゴリーの環境汚染物質として社会的に注目されている。ＰＯＰｓは、強い毒性を有する上に、化学的に非常に安定しているため、自然環境中においても分解され難いという性質（難分解性）を有している。例えば、農薬として、ＰＯＰｓが使用され環境中に放出された場合、大気や海流などにより運ばれ、発生源以上の高濃度が特定の地域で観測されている（即ち、長距離移動性を有する）。また、ＰＯＰｓが海洋生物などに取り込まれた場合には、食物連鎖により生物体内において高濃度に蓄積（即ち、生物濃縮）される高蓄積性を示し、地球的規模での汚染が生じることも報告されている。そのため、ＰＯＰｓによる汚染に対する対策が広く求められている。
【０００３】
ＰＯＰｓ対象物質は、ごみ焼却過程で発生するダイオキシンなどの「非意図的生産物」、ＤＤＴなどの「農薬」、ＰＣＢなどの「工業原料」の３つに分類される。また、現在、ＰＯＰｓとして規制されている物質は、アルドリン（殺虫剤）、ディルドリン（殺虫剤）、エンドリン（殺虫剤）、クロルデン（殺虫剤）、ヘプタクロル（殺虫剤）、トキサフェン（殺虫剤）、マイレックス（殺虫剤）、ヘキサクロロベゼン（殺虫剤）、ＰＣＢ（絶縁油、熱媒体など）、ＤＤＴ（殺虫剤）、ダイオキシン類、フラン類の１２物質である。しかしながら、他の化学物質の中にも同様の性質を持つものがあり、そのような物質が特定されないままに人間やその他の生物の生体に悪影響を与えていることが懸念される。そのような状況で、ＰＯＰｓを検出するための手段の提供は急務である。
【０００４】
現在、ＰＯＰｓを検出するための手段としては、化学物質の生体内での蓄積性を評価する手段が用いられている。従来のそのような手段は、化学物質の魚類への濃縮性を流水試験システムを用いて試験するインビトロ系が主に使用されている。それは以下のようなものである。先ず、魚体内と水中の化学物質濃度が平衡に達するまでの最長６０日間に亘って、例えば、コイなどの魚類を化学物質に曝露し、その後、化学物質が充分に排出できるまで清浄水で飼育する。その間に、魚と水について化学物質の測定を数回以上行い、平衡時の濃縮係数（即ち、ＢＣＦ）を算出する。このような方法はＯＥＣＤテストガイドライン３０５に示されている。しかしながら、上記の方法などの従来の方法では、個体を用いるために時間がかかる上に操作が煩雑である。
【０００５】
【特許文献１】
特表２００１−５２２４５４号
【０００６】
【特許文献２】
特開２００２−２５７８１４号公報
【０００７】
【非特許文献１】
Ｊ．Ｂｉｏｌ．Ｃｈｅｍ．２７７、３６６６−３６７２、２００２、
【０００８】
【非特許文献２】
Ｌｉｆｅ  Ｓｃｉｅｎｃｅ  Ｎｅｗｓ（Ｊａｐａｎ．ｅｄ）３  ２００１  Ａｍｅｒｓｈａｍ  Ｐｈａｒｍａｃｉａ  Ｂｉｏｔｅｃｈ、１２−１３
【０００９】
【非特許文献３】
Ｊ．Ｐｈａｒｍ．Ｐｈａｒｍａｃｏｌ．４９、７９６−８０１
【００１０】
【発明が解決しようとする課題】
上述の状況に鑑み、本発明の目的は、被検物質の体内残留性を検出する方法、核酸、蛋白質、細胞およびプローブ固定化チップを提供することである。
【００１１】
【課題を解決するための手段】
本発明者は鋭意研究の結果、上記の目的を解決するための以下のような手段を見出した。
【００１２】
本発明の第１の態様に従うと、（１）被検物質と小腸の残留性有機汚染物質結合性膜蛋白質との結合性の存在を検出することと、（２）その検出の結果から前記被検物質の体内残留性の有無および／または程度を判定し、それによって被検物質の体内残留性を検出すること、を具備する被検物質の体内残留性を検出する方法が提供される。
【００１３】
本発明の第２の態様に従うと、被検物質の体内残留性物質を検出するための蛋白質をコードし、以下により決定される塩基配列を有する核酸；
（i）適切なハイブリダイゼーションが得られる条件下で、配列番号２、配列番号３、配列番号４、配列番号５、配列番号６、配列番号７、配列番号８、配列番号９、配列番号１０および配列番号１１からなる群より選択される少なくとも１の塩基配列を含む少なくとも１種類の核酸に対して、小腸ｍＲＮＡ由来の一本鎖ｃＤＮＡを反応させること、
（ii）前記（i）において何れかの核酸にハイブリダイズした一本鎖ｃＤＮＡを回収し、大腸菌に導入することと、
（iii）前記（ii）で導入されたｃＤＮＡが前記大腸菌で発現された状態で、残留性有機汚染物質を反応させることと、
（iv）前記（iii）の反応の後に、前記大腸菌への前記残留性有機汚染物質の結合の存在を検出することと、
（v）前記（iv）の存在が検出された大腸菌に導入された小腸ｍＲＮＡ由来のｃＤＮＡの塩基配列を決定すること；
が提供される。
【００１４】
本発明の第３の態様に従うと、第２の態様に記載の核酸によりコードされる蛋白質が提供される。
【００１５】
本発明の第４の態様に従うと、配列番号１で表される核酸を遺伝子として機能可能に導入された被検物質の体内残留性物質を検出するための細胞が提供される。
【００１６】
本発明の第５の態様に従うと、基体と、前記基体の表面に固定され、第４の態様に従う細胞をプローブとして具備する被検物質の体内残留性物質を検出するためのプローブ固定化チップが提供される。
【００１７】
【発明の実施の形態】
本発明は、被検物質の体内残留性を検出する方法、核酸、蛋白質、細胞およびプローブ固定化チップに関する。
【００１８】
化学物質などの体内から吸収された薬物などの異物は、主に肝臓において薬物代謝による作用を受ける。例えば、経口により体内に取り入れられた脂溶性の化学物質は、先ず、腸管から吸収され肝門脈を経て肝臓に至る。肝臓では、そのような化学物質は、チトクロームＰ４５０酵素類による酸化反応とそれに続く抱合酵素類による酵素反応によって代謝を受けて水溶化されて尿中または胆汁中へ排泄される。しかしながら、ＰＯＰｓの場合には、水溶化される割合が少なかったり、脱抱合されたりなどの理由から、一旦胆汁中へ排泄されても、腸管から再吸収されてしまうことがある。このような動態は腸肝循環と呼ばれるが、これまでのところそのメカニズムは明確にはされていない。
【００１９】
本発明者は、このような腸肝循環がＰＯＰｓ類の体内蓄積性の要因であり、またこのような腸肝循環は、小腸での分子間相互作用による特異的吸収に基づくと推測した。
【００２０】
小腸では、多くの薬物や化学物質が小腸上皮の刷子縁膜構造から吸収されている。残留性有機汚染物質を含む多くの脂溶性化学物質は、単純拡散で、細胞膜を通過することができる。しかしながら、小腸上皮には、非常に多くの担体が存在することが知られている。即ち、脂溶性化学物質の多くは、担体によって積極的に取り込まれている可能性もあるのである。そのような担体のひとつが、例えば、薬物トランスポーターと言われるものである。最近では、薬物トランスポーターのいくつか単離され、特定の化学物質の吸収に関与していることが明らかになってきている。例えば、Ｈ＋駆動型オリゴヌクレオチドペプチドトランスポーターＰｅｐＴ１は小腸膜に発現しており、α-ラクタム系抗生物質の吸収に関係している。しかしながら、薬物や残留性有機汚染物質の吸収、再吸収を担う膜トランスポーターや膜蛋白質は多くのものが未知であることから、残留性有機汚染物質の選択的再吸収に関るトランスポーターが膜上に存在する可能性はきわめて高い。
【００２１】
本発明は、上述の推測に基づき研究を行った結果達成された。例えば、本発明の１態様は、特定の化学物質の特異的吸収に寄与する小腸の膜蛋白質を特定したことによって得られた蛋白質およびそれをコードする核酸である。また、本発明の更なる態様は、そのような該膜蛋白質と被検物質との結合性の存在を検出することにより、被検物質の体内残留性を検出する方法である。
【００２２】
１．特異的吸収に寄与する小腸の膜蛋白質およびその蛋白質をコードする核酸の特定
小腸における残留性有機汚染物質の特異的吸収に寄与する膜蛋白質の特定は、例えば、以下のように行うことが可能である。
【００２３】
先ず、膜蛋白質であることは、細胞膜蛋白質特有のシグナルペプチド（即ち、リーダーシーケンス）を有することで確認すればよい。
【００２４】
たとえばそのようなシグナルペプチドは、配列番号２、配列番号３、配列番号４、配列番号５、配列番号６、配列番号７、配列番号８、配列番号９、配列番号１０および配列番号１１で表される核酸でコードされているポリペプチドであってよい。これらの核酸配列を表１に纏めて記載した。
【００２５】
【表１】
2004201526.tif 000003
【００２６】
このようなシグナルペプチドを有する蛋白質を、小腸において発現している蛋白質の中から選び出す。次に、それらの蛋白質の中から、少なくとも残留性有機汚染物質への結合性を有する蛋白質を選択すれば、小腸における残留性有機汚染物質の特異的吸収に寄与する膜蛋白質を特定することが可能である。即ち、小腸における残留性有機汚染物質の特異的吸収には、その最初の工程としてそのような膜蛋白質への残留性有機汚染物質の結合が考えられるからである。
【００２７】
そのような結合性を解析するためには、当該シグナルペプチドを含む蛋白質をコードする遺伝子を大腸菌などの宿主において機能可能に発現させ、それにより産生された蛋白質に対して、公知のＰＯＰｓなどの残留性有機汚染物質を接触させて、結合するか否かを調べればよい。
【００２８】
シグナルペプチドをコードする核酸を検出するためのこれらの核酸を用いて、例えば、以下の（i）から（v）までの手順により、小腸における残留性有機汚染物質の特異的吸収に寄与する膜蛋白質およびこれをコードする核酸を特定することが可能である。
【００２９】
（i）先ず、哺乳類から小腸を摘出し、そこからｍＲＮＡを抽出する。次に、抽出されたｍＲＮＡを逆転写反応に供してｃＤＮＡを合成し、これを一本鎖ｃＤＮＡに解離する。得られた一本鎖ｃＤＮＡを、配列番号２、配列番号３、配列番号４、配列番号５、配列番号６、配列番号７、配列番号８、配列番号９、配列番号１０および配列番号１１で示される核酸と、適切なハイブリダイゼーションが得られる条件下で反応させる。
【００３０】
ここでいう「哺乳類」とは、例えば、ラット、マウス、モルモット、ウサギ、イヌ、ウシ、ブタ、ヒツジおよびヒトなどを含み、それ以外の何れの哺乳動物であってもよい。ｍＲＮＡの抽出、逆転写反応および二本鎖ｃＤＮＡの一本鎖ｃＤＮＡへの解離は、それ自身公知の何れの手段によって行ってよい。配列番号２、配列番号３、配列番号４、配列番号５、配列番号６、配列番号７、配列番号８、配列番号９、配列番号１０および配列番号１１で示される核酸は、それらの塩基配列で表される核酸または何れの核酸類似物質であってもよく、それらはそれ自身公知の方法により合成されてもよい。
【００３１】
また更に、小腸に特異的に存在する蛋白質を特定するために、脳などの他の臓器または器官から抽出したｍＲＮＡから合成したｃＤＮＡと、小腸に由来するｃＤＮＡとを、例えば、サブトラクションなどの手段により比較し、小腸に特異的に存在するｃＤＮＡを単離し、それについて上述と同様の操作を行ってもよい。
【００３２】
（ii）次に、配列番号２、配列番号３、配列番号４、配列番号５、配列番号６、配列番号７、配列番号８、配列番号９、配列番号１０および配列番号１１で示される核酸の何れかの核酸にハイブリダイズした一本鎖ｃＤＮＡを回収し、それを動物細胞や大腸菌などの宿主に、遺伝子として機能可能に導入する。
【００３３】
ここでいう「遺伝子として機能可能に導入」されるとは、導入された核酸が遺伝子として本来的に提供し得る作用を発揮し得る状態で導入されることをいう。即ち、残留性有機汚染物質に特異的に結合する膜蛋白質をコードする遺伝子が、遺伝子として機能可能に宿主に導入された場合、そのような蛋白質が宿主表面または宿主の外に適切に配置されればよいことを意味する。
【００３４】
（iii）当該ｃＤＮＡが適切に発現された状態で、当該宿主に対して公知のＰＯＰｓなどの残留性有機汚染物質を接触させる。このような接触によって、当該宿主において産生され、宿主表面に配置された残留性有機汚染物質に特異的に結合する膜蛋白質が存在するならば、そのような膜蛋白質に当該残留性有機汚染物質は結合する。
【００３５】
ここで、小腸における残留性有機汚染物質の特異的吸収に寄与する膜蛋白質は、その１つの性質として、残留性有機汚染物質に特異的に結合する性質を有していると考えられる。即ち、小腸における残留性有機汚染物質の特異的吸収に寄与する膜蛋白質は、残留性有機汚染物質に特異的に結合する性質を有していると考えられる。従って、ここでは、残留性有機汚染物質に特異的に結合する蛋白質を産生することを選択すべき遺伝子の指標とした。
【００３６】
ここにおいて使用することが可能な残留性有機汚染物質の例は、ＰＯＰｓであることが機知である化合物や体内蓄積性が高いことが機知の化合物であればよく、例えば、アルドリン、ディルドリン、エンドリン、クロルデン、ヘプタクロル、トキサフェン、マイレックス、ヘキサクロロベゼン、ＰＣＢ、ＤＤＴ、ダイオキシン類およびフラン類などであればよい。また、ダイオキシンやフラン、ＰＣＢ類などの多くのＰＯＰｓ的作用が疑われる物質は、多環芳香族炭化水素（以下、ＰＡＨと記す）としても分類されるが、一般にこのようなＰＡＨと称される何れの物質も本発明の残留性有機汚染物質に含まれる。
【００３７】
（iv）次に、上述のような接触の結果として得られた宿主への当該化学物質の結合の存在を検出する。そのような検出は、例えば、抗原抗体反応を利用するなど、それ自身公知の手段により行えばよい。例えば、先ず、当該化学物質を特異的に認識する一次抗体を当該宿主と接触し、続いて、検出可能に標識した当該一次抗体を認識する二次抗体を接触させ、その後、当該標識を検出することにより、当該結合の存在を検出することが可能である。
【００３８】
(v)当該結合の存在が検出された宿主に導入された核酸について、シーケンシングを行う。それにより得られた塩基配列によって残留性有機汚染物質に特異的に結合する蛋白質をコードする遺伝子が特定される。また、そのような塩基配列を基にホモロジー検索を行うことにより、残留性有機汚染物質に特異的に結合する蛋白質が特定される。
【００３９】
本発明は、以上のような工程により特定された残留性有機汚染物質に特異的に結合する蛋白質をコードする遺伝子の１例を、配列番号１で表される核酸として提供する。また、配列番号１で表される核酸を表２にも示した。
【００４０】
【表２】
2004201526.tif 000004
【００４１】
配列番号１で表される核酸は、詳しくは後述の実施例１から３に示すように、残留性有機汚染物質としてダイオキシンを用いて、大腸菌に導入した小腸由来ｃＤＮＡについて、上述のような方法に従って特定されたダイオキシン結合性小腸膜蛋白質をコードする核酸である。当該核酸によりコードされる蛋白質は、ホモロジー検索の結果、ｔｒａｎｓｍｅｍｂｒａｎｅ  ｍｏｌｅｃｕｌｅ  ｗｉｔｈｔｈｒｏｎｂｏｓｐｏｎｄｉｎ  ｍｏｄｕｌｅであった。
【００４２】
２．被検物質の体内残留性を検出する方法
上述において特定された蛋白質および核酸を利用し、被検物質の体内残留性を検出することが可能である。本発明に従う被検物質の体内残留性を検出する方法は、例えば、以下のような方法であってよい。
【００４３】
本発明の第１の態様に従うと、
（i）被検物質と小腸の残留性有機汚染物質結合性膜蛋白質との結合性の存在を検出することと、
（ii）その検出の結果から前記被検物質の体内残留性の有無および／または程度を判定し、それによって被検物質の体内残留性を検出すること、
を具備する被検物質の体内残留性を検出する方法が提供される。
【００４４】
更なる態様に従うと、前記小腸の残留性有機汚染物質結合性膜蛋白質の一部が、以下の（i）から（v）により決定される塩基配列によってコードされることを特徴とする前記第１の態様に記載の方法であってもよい；
（i）適切なハイブリダイゼーションが得られる条件下で、配列番号２、配列番号３、配列番号４、配列番号５、配列番号６、配列番号７、配列番号８、配列番号９、配列番号１０および配列番号１１からなる群より選択される少なくとも１の塩基配列を含む少なくとも１種類の核酸に対して、小腸ｍＲＮＡ由来の一本鎖ｃＤＮＡを反応させることと、
（ii）前記（i）において前記何れかの核酸に対してハイブリダイズした一本鎖ｃＤＮＡを回収し、大腸菌に導入することと、
（iii）前記（ii）で導入されたｃＤＮＡが前記大腸菌で発現された状態で、残留性有機汚染物質を反応させることと、
（iv）前記（iii）の反応の後に、前記大腸菌への前記残留性有機汚染物質の結合の存在を検出することと、
（v）前記（iv）の存在が検出された大腸菌に導入された小腸ｍＲＮＡ由来のｃＤＮＡの塩基配列を決定すること。
【００４５】
また更には、更なるもう１つの更なる態様に従うと、前記小腸の膜蛋白質が、配列番号１で表される核酸によりコードされる蛋白質であることを特徴とする大１の態様に記載の被検物質の体内残留性を検出する方法であってもよい。
【００４６】
また、被検物質と小腸の残留性有機汚染物質結合性膜蛋白質との結合性の存在を検出するためには、例えば、以下のような手段を使用することが可能である。
【００４７】
（ａ）細胞外での当該蛋白質と被検物質との結合を検出する方法
本発明による検出は、上述のように特定される小腸の残留性有機汚染物質結合性膜蛋白質を細胞の外において用いて、これに対して、被検物質を結合させ、得られた結合を検出する方法であってもよい。
【００４８】
例えば、そのような検出は、当該小腸の残留性有機汚染物質結合性膜蛋白質を溶液中に保持した状態で液相として使用して検出を行ってもよく、当該小腸の残留性有機汚染物質結合性膜蛋白質を従来公知の何れかの担体または基板に固定した状態で固相として使用して検出を行ってもよい。
【００４９】
液相および固相の何れとして使用する場合も、被検物質と当該蛋白質との結合、即ち、相互作用の検出は、例えば、当該被検物質を抗原として認識する抗体を用いて、当該蛋白質と被検物質の結合を検出してもよい。また検出は、使用する抗体について検出可能な標識を予め行い、この標識による検出可能な信号を検出することにより行っても、或いは前記抗体を一次抗体として使用し、更に前記抗体を認識する標識された二次抗体を使用することにより行ってもよい。例えば、そのような標識は、蛍光物質、化学発光物質および放射性同位元素など、従来公知の何れの標識物質を付加して行ってもよく、または酵素反応などの反応を利用する手段を利用してもよい。
【００５０】
また、予め被検物質を直接に標識してもよい。例えば、そのような標識は、蛍光物質、化学発光物質および放射性同位元素など、従来公知の何れの標識物質を付加して行ってもよく、または酵素反応などの反応を利用する手段を用いてもよい。また、例えば、アリルハイドロカーボン受容体（以下、ＡｈＲと記す）を利用して以下のように被検物質に標識してもよい。即ち、上述したように生体残留性が疑われる物質の多くは、ＰＡＨであると考えられる。ＡｈＲは、ＰＡＨに高い結合性を有し、且つ基質特異性が低いため、非常に広い範囲のＰＡＨ類と結合する。従って、標識物質を付加したＡｈＲに被検物質を結合することによって、被検物質を標識することも可能である。
【００５１】
そのような標識は、例えば、以下のように行ってよい。先ず、ＡｈＲのｃＤＮＡをＰＣＲにより増幅するか、または公知の塩基配列を基に人工的にＡｈＲのｃＤＮＡを合成する。このｃＤＮＡを発現ベクターに挿入する。当該ベクターは、挿入部位３’側または５’側に標識分子の配列を含ませる。ＡｈＲのｃＤＮＡを挿入した発現ベクターを動物細胞または大腸菌などの細菌などの宿主にトランスフェクションまたはトランスフォームする。続いて、当該宿主においてベクターのプロモーターを発現させることにより標識化ＡｈＲを発現させる。標識化ＡｈＲは、宿主内または外の水溶液中で被検物質と結合し、その結果、被検物質は標識される。ここで使用される標識分子は、例えば、ＧＦＰ、ＹＦＰ、ＥＦＰなどの公知の標識分子であってよく、それらをコードする核酸を当該ベクターに含ませればよい。
【００５２】
また、当該蛋白質を固相として使用する場合、ガラス、金属およびシリコンなどの樹脂でできた基板上、またはマイクロタイタープレート、シャーレなどに当該蛋白質を塗布して用いればよい。固相化された当該蛋白質を、予め蛍光物質、電流感受性物質および化学発光物質などで標識した被検物質に一定時間曝露し、洗浄して未結合分子を取り除いた後で、標識物質に応じてレーザー、電極および表面プラズモン共鳴（Surface Plasmon Resonance；ＳＰＲ）など、それ自身公知の方法により、分子の結合の存在を検出すればよい。例えば、蛍光強度、化学発光量の変化、電流変化、質量変化およびエネルギートランスファーなどを検出することにより、分子の結合の存在を確認することが可能である。
【００５３】
エネルギートランスファーを利用する方法は、例えば、蛍光共鳴エネルギー転移（ｆｌｕｏｒｅｓｃｅｎｃｅ  ｒｅｓｏｎａｎｃｅ  ｅｎｅｒｇｙ  ｔｒａｎｓｆｅｒ；以下、ＦＲＥＴと記す。Ｊ．Ｂｉｏｌ．Ｃｈｅｍ．２７７、３６６６−３６７２、２００２、およびＬｉｆｅ  Ｓｃｉｅｎｃｅ  Ｎｅｗｓ（Ｊａｐａｎ．ｅｄ）３  ２００１  Ａｍｅｒｓｈａｍ  Ｐｈａｒｍａｃｉａ  Ｂｉｏｔｅｃｈを参照されたい）を利用すればよい。ＦＲＥＴは、２種類の標識分子間のエネルギートランスファーの存在を検出することによって、当該蛋白質と被検物質との結合を検出する方法である
詳しくは、ＦＲＥＴは、ドナーおよびアクセプターと称される２種類の蛍光物質間のエネルギー転移を利用した手法である。エネルギー転移によってドナーのエネルギーは減少する一方で、アクセプターの蛍光シグナルは増加することを利用している。ＦＲＥＴは、ドナーとアクセプターが近い位置（例えば、５０Å〜１００Å）にある場合、或いは両者が結合している場合、ドナーを励起したにも関わらず、アクセプターからの蛍光が観察されるという現象を利用する。
【００５４】
図２および図３を用いて、ＦＲＥＴ検出により細胞を用いずに行う被検物質と小腸の残留性有機汚染物質結合性膜蛋白質との結合を検出する方法の例を説明する。
【００５５】
先ず、図１を用いて、小腸の残留性有機汚染物質結合性膜蛋白質のＹＦＰによる標識化の例を概説する。
【００５６】
哺乳類から小腸を摘出し、そこから小腸ｍＲＮＡを抽出する。抽出された小腸ｍＲＮＡから、一本鎖ｃＤＮＡを合成し、と、表１に示したリーダーシーケンスに相当する合成ＤＮＡとをハイブリダイズする。例えば、抽出された小腸一本鎖ｃＤＮＡを含む溶液を表１に示したリーダーシーケンスに相当するオリゴヌクレオチドを固定したカラムに通液し、ハイブリダイズを行ってもよい。
【００５７】
続いて、当該ハイブリダイゼーションにより得られた二本鎖核酸を抽出し、それを基に小腸ｃＤＮＡを合成する。
【００５８】
得られたｃＤＮＡを適切なベクター１に組み込む。このとき、当該ｃＤＮＡのＣ末端またはＮ末端にＹＦＰ遺伝子を同時に組み込む。図１では３’側にＹＦＰ遺伝子を配置している例を示した。このベクターを所望の細胞または大腸菌などの宿主にトランスフェクションまたはトランスフォームする。当該宿主においてベクターのプロモーターを発現させることによりＹＦＰ４が融合した小腸の残留性有機汚染物質結合性膜蛋白質３からなるＹＦＰ融合小腸の残留性有機汚染物質結合性膜蛋白質２が発現される。
【００５９】
次に、図２を用いて、被検物質の結合性の検出の概要について説明する。被検物質は、予め、共有結合によりＣＦＰ１２を付与するか、ＣＦＰ１２をＣ末端に組換えて付与したＡｈＲと結合させ標識しておく。何れかの手段によりＣＦＰ１２で標識された被検物質１１を、上述で発現されたＹＦＰ融合小腸の残留性有機汚染物質結合性膜蛋白質に対して曝露する。その後、蛍光強度を測定し、当該ＹＦＰ融合小腸の残留性有機汚染物質結合性膜蛋白質２に対して被検物質が結合したか否かを検出する。
【００６０】
被検物質１１が、ＹＦＰ融合小腸の残留性有機汚染物質結合性膜蛋白質２に結合した状態の結合蛋白質１３では、被検物質１１が受容体である小腸の残留性有機汚染物質結合性膜蛋白質３に結合し、それによって被検物質１１に標識されたＣＦＰ１２は、ＹＦＰ４から近い位置に配置される。このような結合蛋白質１３について、ドナーを励起するための波長で励起すれば、アクセプターからの蛍光が検出される。従って、蛍光の検出を基に被検物質の小腸の残留性有機汚染物質結合性膜蛋白質への結合の存在を検出することが可能である。
【００６１】
図２では、ＹＦＰ融合小腸の残留性有機汚染物質結合性膜蛋白質２を基板１４に固定化したプロテインチップ１５を用いる例を示した。プロテインチップ１５は、基体としての基板１４と、当該基体に固定化されたプローブとしての蛋白質、即ち、１例ではあるが、ＹＦＰ融合小腸の残留性有機汚染物質結合性膜蛋白質が具備されている。
【００６２】
また、上述したエネルギートランスファーを利用した方法は、これに限定するものではなく、液相でも同様に反応を行うことが可能である。
【００６３】
また、以下で説明する細胞内での検出に、これらの検出方法を利用することも可能である。その場合は、当該ＹＦＰ融合小腸の残留性有機汚染物質結合性膜蛋白質を所望の宿主に発現させればよい。その場合も当該蛋白質を細胞外で用いる場合と同様に、液相で細胞を用いて検出を行っても、何れかの基体に固定化した細胞を用いてもよい。本発明として、そのような基体と、基体に固定化されたプローブとしての遺伝子導入細胞とを具備するプローブ固定化チップとして提供されてもよい。このような方法およびプローブ固定化チップも本発明の範囲内である。
【００６４】
（ｂ）細胞上の当該蛋白質と被検物質との結合を検出する方法
本発明による検出は、上述のように特定される小腸の残留性有機汚染物質結合性膜蛋白質をコードする核酸を機能可能に導入された細胞を用いて、これに対して、被検物質を結合させ、得られた結合を検出する方法であってもよい。
【００６５】
このように細胞内に導入した遺伝子により産生された当該蛋白質を用いて、被検物質のスクリーニングする場合には、細胞上の当該蛋白質と被検物質との結合を検出するために、細胞を用いない上述の蛋白質と被検物質との結合を検出する方法について記載したのと同様な方法により検出を行ってもよい。
【００６６】
本発明に従い小腸の残留性有機汚染物質結合性膜蛋白質をコードする核酸を導入することが可能な細胞は、当該遺伝子を機能可能に導入することが可能な細胞であれば、それ自身公知の何れの細胞であってもよい。例えば、ＣＨＯ、Ｈｅｌａ、およびＣａｃｏ−２などが挙げられる。また、そのような導入は、当該遺伝子を機能可能に導入することが可能な方法であれば、それ自身公知の何れの方法であってもよい。
【００６７】
また、以下に説明するように、ＦＲＥＴなどを利用して、２種類の標識分子間のエネルギートランスファーの存在を検出することによって、当該蛋白質と被検物質との結合を検出してもよい。以下の（i）から（iii）に、エネルギートランスファーを利用した検出方法の例を記載する。
【００６８】
（i）小腸の残留性有機汚染物質結合性膜蛋白質をコードする配列を含むベクターの作成
先ず、ラットなどの哺乳類から小腸を摘出し、そこからｍＲＮＡを抽出する。このｍＲＮＡについて逆転写反応を行い、ｃＤＮＡを合成する。ｃＤＮＡの５’末端部分に特定のリーダーシーケンスが存在するものを選別する。（また、所望に応じて、次に、以下の操作を行ってもよい。ラットから脳を摘出し、そのｍＲＮＡを抽出して、逆転写反応を行いｃＤＮＡを合成する。小腸由来のｃＤＮＡと脳由来のｃＤＮＡをサブトラクションし、小腸に特異的に存在するｃＤＮＡ溶液だけを単離する。この括弧内に記載した操作は省略することも可能である。）
次に、小腸からのｃＤＮＡを、発現ベクターに挿入する。挿入断片のｃ末端側またはＮ末端側に、標識分子の配列があってもよい。
【００６９】
（ii）ＡｈＲのｃＤＮＡを含むベクターの作成
先ず、ＡｈＲのｃＤＮＡをＰＣＲにより増幅するか、または公知の塩基配列を基に人工的にＡｈＲのｃＤＮＡを合成する。このｃＤＮＡを発現ベクターに挿入する。当該ベクターは、挿入部位３’側または５’側に標識分子の配列を含ませる。
【００７０】
（iii）小腸の残留性有機汚染物質結合性膜蛋白質と被検物質との結合の検出
上記の（i）と（ii）で作成したベクターを同一宿主内にコトランスフェクトして共存させる。そして、両ベクターを発現させた上で、被検物質に曝露し、被検物質と小腸の残留性有機汚染物質結合性膜蛋白質との相互作用を両分子の標識分子間のエネルギートランスファーによって検出する。更に詳しくは以下のように説明される。
【００７１】
上記（i）に示したベクター、即ち、小腸の残留性有機汚染物質結合性膜蛋白質とそのＣ末端またはＮ末端にエネルギートランスファーを生じ得る第１の標識物質（例えば、ドナー）を挿入したベクターと、上記（ii）に示したベクター、即ち、ＡｈＲとそのＣ末端またはＮ末端にエネルギートランスファーを起こし得る第２の標識物質（例えば、アクセプター）を挿入したベクターを動物細胞または大腸菌などの細菌などの宿主内にダブルトランスフェクトまたはトランスフォームする。ここで、エネルギートランスファーを起こす第１の標識物質（例えば、ドナー）と、第２の標識物質（例えば、アクセプター）の組み合わせは、使用する一方の標識物質を決定すれば、それに適切なもう一方の標識物質は自ずと決定される。例えば、エネルギートランスファーを起こす標識分子としては、ＣＦＰとＹＦＰを、それぞれドナーとアクセプターとして使用することが可能である。しかしながら、標識物質はこれらに限定されるものでない。
【００７２】
また、当該組換え細胞を固相として使用する場合、ガラス、金属およびシリコンなどの樹脂でできた基板上、またはマイクロタイタープレート若しくはシャーレなどに当該組換え細胞を固定して用いればよい。
【００７３】
細胞をプローブとして固定化したプローブ固定化チップの１例の概要を示す模式図を図３に示す。プローブ固定化チップ１８は、基体１４と、当該基体１４の表面に固定化されたプローブとしての細胞１６を具備する。また、当該細胞は、本発明に従う小腸の残留性有機汚染物質結合性膜蛋白質をコードする遺伝子を組み込まれた遺伝子導入細胞であり、本発明に従う被検物質の体内残留性を検出する方法を実施する際には、当該細胞の表面に小腸の残留性有機汚染物質結合性膜蛋白質が配置される。或いは、所望に応じて、本発明に従う被検物質の体内残留性を検出する方法を実施する際に、当該細胞から小腸の残留性有機汚染物質結合性膜蛋白質が細胞外に放出されてもよい。
【００７４】
また、このような組換え細胞において発現される所望の標識化蛋白質は、当該細胞の膜上に発現されても、また、当該細胞から培養液などの溶液中に分泌されてもよく、その何れの場合も、本発明の方法において利用することが可能である。それらを利用した方法、細胞、蛋白質およびプローブ固定化基体は、全て本発明の範囲に含まれる。
【００７５】
実施例
実施例１  小腸膜蛋白質のｍＲＮＡの単離
ＳＤラットをエーテル麻酔し、小腸を摘出した。摘出した小腸をＰＢＳで洗浄し、グアニジンチオシアネート・Ｎラウリルサルコシン・ＥＤＴＡを含む抽出バッファー中でホモジナイズした。得られたホモジネートから、ＴＲＩＺＯＬ試薬（Ｉｎｖｉｔｒｏｇｅｎ社製）を用いて、全ＲＮＡを抽出した。その後、Ｍｅｓｓａｇｅ  Ｍａｋａｅｒ（Ｉｎｖｉｔｒｏｇｅｎ社製）を用いたＯｌｉｇｏｄＴセルロースフィルターに通すことによって、全ＲＮＡからｍＲＮＡを選択的に抽出した。これを小腸ｍＲＮＡ溶液とした。この小腸ｍＲＮＡについて、逆転写酵素ＳｕｐｅｒｓｃｒｉｐｔＩＩ（Ｉｎｖｔｒｏｇｅｎ社製）を用いて逆転写を行い、ＲｎａｓｅＨと反応させることによって、１本鎖小腸ｃＤＮＡ溶液とした。
【００７６】
一方、表１に示した核酸配列、即ち、配列番号２、配列番号３、配列番号４、配列番号５、配列番号６、配列番号７、配列番号８、配列番号９、配列番号１０および配列番号１１、を基に合成ＤＮＡを合成した。合成ＤＮＡの５’末端にはビオチンを結合した。ビオチン化合成ＤＮＡと小腸ｃＤＮＡ溶液を、室温で３０分間静置して、即ち、適切なハイブリダイゼーションを得られる条件下で反応を行った。当該反応の結果、互いに相補性を有する核酸鎖が存在すればハイブリダイゼーションが生じる。反応を行った後、ＰＢＳ緩衝液中でストレプトアビジンコーティングビーズ（ピアス社製）と室温で反応させた。その後、遠心によってビーズを回収した。回収されたビーズから得られたｃＤＮＡ溶液を小腸膜蛋白質ｃＤＮＡ溶液とした。
【００７７】
実施例２  ダイオキシン結合性小腸膜蛋白質の単離
前記実施例１で得られた小腸膜蛋白質ｃＤＮＡを、λｇｔ１１ベクターに以下の手順で挿入した。先ず、ＤＮＡポリメラーゼＩにより、完全ＤＮＡを合成した後、Ｔ４ＤＮＡポリメラーゼによってＤＮＡの平滑化を行った。平滑化を行ったＤＮＡをＥｃｏＲＶで切断したλｇｔ１１ベクターにＬｉｇａｓｅを用いて連結した。連結したＤＮＡをファージ粒子中にパッケージングキット（Stratagene社製）を用いてパッケージングした。
【００７８】
次に、以下の手順により、λベクター中に挿入された小腸膜蛋白質遺伝子を大腸菌で発現させた。先ず、大腸菌Ｙ１０９０株をＬＢＭ培地中で一晩培養した。その培養液０．２ｍＬと、１ｘ１０６程度に希釈したファージ液とを混合した。これを３７℃で１０分間インキュベートし、前記ファージにパッケージされたＤＮＡを当該大腸菌に導入した。この大腸菌液に対して溶融状態のＬＢＭアガロースを添加して素早く撹拌し、更に、予め用意しておいたボトムアガー（ここではＬＢＭアガーを使用した）入りのシャーレに素早く広げた。このＬＢＭアガロースが固まった後、４３．５℃で３．５時間インキュベートし、プラークを形成させた。
【００７９】
続いて、得られた各プラークで発現された蛋白質の性質をニトロセルロース膜を使用して以下のように判定した。予め１０ｍＭＰＴＧ（即ち、イソプロピルチオガラクトピラノシド）に浸して乾燥させたニトロセルロース膜を、当該プラークを形成したプレートに重ねた。これを３７℃で３．５時間インキュベートし、大腸菌に導入したｃＤＮＡを発現させた。インキュベートの後、当該ニトロセルロース膜を、ＴＢＳ緩衝液で洗浄し、ダイオキシンとの結合に使用した。このニトロセルロース膜を、１μＭのダイオキシン（２，３，７，８−ＴＣＤＤ）を含み、且つ１％ＢＳＡを含むＰＢＳ緩衝液中に浸し、室温で２４時間反応させた。その後、当該ニトロセルロース膜をＰＢＳ緩衝液で洗浄した。
【００８０】
続いて、以下のような抗原抗体による常法により、ニトロセルロース膜上の蛋白質に対するダイオキシン結合の存在の検出を行った。先ず、ニトロセルロース膜を一次抗体である抗ダイオキシン抗体（Stratagegic Diagnostic社製）と混合し、室温で１時間反応させた。続いて洗浄し、二次抗体であるHRPラベル化ヤギ抗マウス抗体（BioRad社製）と１時間反応させた。その後洗浄し、１００μｇ／ｍLのＤＡＢ溶液と過酸化水素水による発色液で発色させた。それによりダイオキシンの結合したニトロセルロース膜上のスポットが特定された。
【００８１】
特定されたニトロセルロース膜上のスポットに対応するプラークを、アガーごと回収し、これをＳＭ緩衝域中に懸濁し、ダイオキシン結合性小腸蛋白質ｃＤＮＡを含むλファージの懸濁液とした。
【００８２】
実施例３  ダイオキシン結合性小腸膜蛋白質の同定
上述の実施例２で得られたダイオキシン結合性小腸蛋白質ｃＤＮＡを含むλファージの懸濁液を１ｘ１０６程度に希釈した。この希釈した懸濁液を、ＬＢＭ培地中で一晩培養した大腸菌Ｙ１０９０株を含む培養液０．２ｍＬと混合した。これを３７℃で１０分間インキュベートして、当該ＤＮＡを当該大腸菌に導入した。
【００８３】
この大腸菌液に対して溶融状態のＬＢＭアガロースを添加して素早く撹拌し、これを、予め用意しておいたボトムアガー（ここではＬＢＭアガーを使用した）入りのシャーレに素早く広げた。このＬＢＭアガロースが固まった後、４３．５℃で３．５時間インキュベートし、プラークを形成させた。このプラークを充分に形成したプレート上にＳＭ緩衝液および少量のクロロホルムを添加してプレートライセートを行い、λファージの懸濁液を回収した。回収されたλファージ液に、ＲＮａｓｅＡおよびＤＮａｓｅＩをそれぞれ５μＬ／ｍＬとなるように添加し、３７℃で３０分間インキュベートした。次に、同量のＰＥＧ６０００・２．５ＭのＮａＣｌ溶液を加え、混合後０℃で１時間塩析した。この混合液を４℃で遠心した後、上清を完全に除去した。得られた沈殿物をＳＭ緩衝液に懸濁した。更に、この液を８０００ｒｐｍで遠心して大腸菌の断片を除き、上清にＥＤＴＡとＳＤＳをそれぞれ１０ｍＭと０．１％になるように加えた。これを６５℃で５分間インキュベートした。その後、フェノール抽出とエタノール沈殿を行って、λＤＮＡ溶液を得た。このλＤＮＡに対して、常法により、挿入ＤＮＡのシーケンシングを行った。その結果、配列番号１に示す塩基配列が得られた。ホモロジー検索により、この配列は、ｔｒａｎｓｍｅｍｂｒａｎｅ  ｍｏｌｅｃｕｌｅ  ｗｉｔｈ  ｔｈｒｏｎｂｏｓｐｏｎｄｉｎ  ｍｏｄｕｌｅであることが明らかとなった。
【００８４】
実施例４  組換えｔｒａｎｓｍｅｍｂｒａｎｅ  ｍｏｌｅｃｕｌｅ  ｗｉｔｈｔｈｒｏｎｂｏｓｐｏｎｄｉｎ  ｍｏｄｕｌｅ蛋白質のＣＦＰ標識ベクターの構築
上述の実施例３で得られたλＤＮＡをＡｃｅＩで切断した。これを、ＥｃｏＲＩアダプター（ＧＧＡＡＴＴＣＣ）と同時に、ＡｃｃＩとＥｃｏＲＩで予め切断したＣＦＰとを含むベクターであるｐＥＣＦＰ−Ｆ１（クローンテック社製）に対して、Ｌｉｇａｓｅを用いて連結した。このように組み換えたベクターを、大腸菌ＸＬ１−Ｂｌｕｅにトランスフォームした。組換え体の選択は、カナマイシンを含むＳｕｐｅｒ−Ａｇａｒ培地（この培地の組成は以下の通りである；３．５％のＢａｃｔｏｔｒｙｐｔｏｎｅ、２％のＹｅａｓｔ  Ｅｘｔｒａｃｔ、０．５％のＮａＣｌ、ｐＨ７．４、１．５％のＡｇａｒである）上で行った。当該組み換えられたベクターはｐＥＣＦＰ−ＴＭとした。
【００８５】
実施例５  組換えＡＨＲ蛋白質のＹＦＰ標識ベクターの構築
ＳＤラットをエーテル麻酔し、肝臓を摘出した。これをＰＢＳで洗浄し、グアニジンチオシアネート・Ｎラウリルサルコシン・ＥＤＴＡを含む抽出バッファー中でホモジナイズした。ホモジネートから、ＴＲＩＺＯＬ試薬（Ｉｎｖｉｔｒｏｇｅｎ社製）を用いて、全ＲｎａｓｅＡ，ＤｎａｓｅＩを抽出した。その後、Ｍｅｓｓｅｎｇｅ  Ｍａｋａｅｒ（Ｉｎｖｉｔｒｏｇｅｎ社製）を用いて、ＯｌｉｇｏｄＴセルロースフィルターに通液することによって、全ＲＮＡからｍＲＮＡを選択的に抽出した。ｍＲＮＡは、逆転写酵素ＳｕｐｅｒｓｃｒｉｐｔＩＩ（Ｉｎｖｉｔｒｏｇｅｎ）を用いて逆転写を行い、肝臓ｃＤＮＡ溶液とした。
【００８６】
この肝臓ｃＤＮＡ溶液溶液について、配列番号２１および配列番号２２に示される塩基配列を含むプライマーと、ＬＡ−Ｔａｑを用いてＰＣＲ反応を行い、それによりＡＨＲ遺伝子を増幅した。
【００８７】
【表３】
2004201526.tif 000005
【００８８】
続いて、ＡＨＲＤＮＡをＥｃｏＲＩで切断し、これを、ＥｃｏＲＩで予め切断したＹＦＰを含むベクターであるｐＥＹＦＰ−Ｎ１（クローンテック社製）に対して、Ｌｉｇａｓｅを用いて連結した。この組み換えたベクターをＸＬ１−Ｂｌｕｅにトランスフォームした。組換え体の選択は、カナマイシンを含むＳｕｐｅｒ−Ａｇａｒ培地（この培地の組成は以下の通りである；３．５％のＢａｃｔｏｔｒｙｐｔｏｎｅ、２％のＹｅａｓｔ  Ｅｘｔｒａｃｔ、０．５％のＮａＣｌ、ｐＨ７．４、１．５％のＡｇａｒ）上で行った。当該組み換えられたベクターをｐＥＹＦＰ−ＡＨＲとした。
【００８９】
実施例６  ｔｒａｎｓｍｅｍｂｒａｎｅ  ｍｏｌｅｃｕｌｅ  ｗｉｔｈ  ｔｈｒｏｎｂｏｓｐｏｎｄｉｎ  ｍｏｄｕｌｅを用いたダイオキシンの検出
上述の実施例４および実施例５で得られたｐＥＣＦＰ−ＴＭとｐＥＹＦＰ−ＡＨＲをリポフェクトアミン（Ｉｎｖｉｔｒｏｇｅｎ社製）によりＣＨＯ細胞にトランスフェクションした。詳しくは、以下の通りである。
【００９０】
先ず、Ｆ１２培地（Ｉｎｖｉｔｒｏｇｅｎ社製）の２５μＬ中に各々０．２μｇのｐｌａｓｍｉｄ  ＤＮＡを混合したものと、２５μＬのＦ１２培地中にリポフェクトアミン１μＬを混合したものとを混合し、室温で４５分間反応させた。これと、上清を回収してＦ１２培地に懸濁したＣＨＯ細胞とを混合し、５時間培養した。その後、Ｇ４１８を含む５％ＦＣＳ含有Ｆ１２培地中で培養し、プラスミドの入っている遺伝子導入ＣＨＯ細胞を選択した。得られた２種類の遺伝子導入ＣＨＯ細胞をそれぞれＣＨＯ／ＴＭ細胞とＣＨＯ／ＡＨＲ細胞とした。
【００９１】
これらのＣＨＯ／ＴＭ細胞およびＣＨＯ／ＡＨＲ細胞を、１０％ＦＣＳを含むＤ／Ｆ培地に１ｘ１０５個の濃度に懸濁し、３センチシャーレに播種し、２４時間培養した。この培養の後、上清を回収し、イメージング緩衝液（この組成は以下の通りである；１３６ｍＭのＮａＣｌ、４．７ｍＭのＫＣｌ、１．２５ｍＭのＭｇＳＯ４、１．２５ｍＭのＣａＣｌ２、２ｍＭのＨａＨＣＯ３、５ｍＭのリン酸ナトリム、２５ｍＭのＨｅｐｅｓ、ＰＨ７．４）を１ｍＬ加え、更に１μＭのＴＣＤＤを添加して２４時間３７℃で培養した。その後、４６０ｎｍで励起し、４８０ｎｍと５３５ｎｍの蛍光シグナルの有無を観察し、５３５ｎｍのシグナルの増加からダイオキシンの検出を行った。
【００９２】
実施例７  細胞固定化チップの作製
実施例６で作製したＣＨＯ／ＴＭ細胞を１０％ｋＦＣＳを含むＤ／Ｆ培地に１ｘ１０５個の濃度に懸濁し、底面が無蛍光ガラスで、壁面が遮光プラスチックで出来ている直径５ｍｍ、深さ５ｍｍのマイクロタイタープレート状基板の各ウェルに５０μＬずつ播種した。続いて、ＣＨＯ／ＡＨＲ細胞も同様に１０％ｋＦＣＳを含むＤ／Ｆ培地に１ｘ１０５個の濃度に懸濁して、各ウェルに５０μＬずつ播種した。２４時間培養した後、上清を回収し、イメージング緩衝液（この組成は以下の通りである；１３６ｍＭのＮａＣｌ、４．７ｍＭのＫＣｌ、１．２５ｍＭのＭｇＳＯ４、１．２５ｍＭのＣａＣｌ２、２ｍＭのＨａＨＣＯ３、５ｍＭのリン酸ナトリム、２５ｍＭのＨｅｐｅｓ、ＰＨ７．４）を０．１ｍＬと被検物質を加え、２４時間３７℃で培養した。その後、４６０ｎｍで励起し、４８０ｎｍと５３５ｎｍＭの蛍光シグナルの有無を観察し、５３５ｎｍのシグナルの増加から結合性の検出を行った。
【００９３】
【発明の効果】
本発明によると、被検物質の小腸蛋白質との結合性を容易に検出することが可能である。このような被検物質の小腸蛋白質との結合性の検出によって、被検物質の体内残留性を簡易に検出することが可能になる。本発明によれば、例えば、ＰＯＰｓの検出に有利に使用することが可能となること、並びに多くの物質についてのスクリーニングを簡易におよび／または短時間に行うことが可能となると期待される。
【００９４】
【配列表】
2004201526.tif 000006
2004201526.tif 000007
2004201526.tif 000008
2004201526.tif 000009
2004201526.tif 000010
【図面の簡単な説明】
【図１】本発明の態様において使用され得る小腸の残留性有機汚染物質結合性膜蛋白質の標識方法の例を示すフローチャート。
【図２】本発明の態様において使用され得る被検物質の結合性の検出方法の例を示すフローチャート。
【図３】本発明の態様に従う１例であるプローブ固定化チップを示す図。
【符号の説明】
１．ベクター    ２．ＹＦＰ融合残留性有機汚染物質結合性膜蛋白質    ３．残留性有機汚染物質結合性膜蛋白質    ４．ＹＦＰ    １１．被検物質    １２．ＣＦＰ    １３．結合蛋白質    １４．基板    １５．プローブ固定化チップ（プロテインチップの例）    １６．遺伝子導入細胞    １７．残留性有機汚染物質結合性膜蛋白質    １８．プローブ固定化チップ（細胞チップの例）
【図１】
2004201526.tif 000011
【図２】
2004201526.tif 000012
【図３】
2004201526.tif 000013
【手続補正書】
【提出日】平成16年1月9日(2004.1.9)
【手続補正１】
【補正対象書類名】明細書
【補正対象項目名】００９４
【補正方法】変更
【補正の内容】
【００９４】
【配列表】
2004201526.tif 000014
2004201526.tif 000015
2004201526.tif 000016
2004201526.tif 000017